(57)【要約】スイングバー・ドアガードは、ドアジャムに接続されるように構成されたラッチベースと、ラッチベースに接続されるように構成されたラッチバーと、ラッチバーの開口部を通って延びるように構成された第１及び第２のバンパとを有するドアラッチを含む。第１及び第２のバンパは、それぞれ、ブロック位置にあるときにドアジャムに接触するジャムバンパ部と、ブロック位置にあるドアに接触するドアバンパ部とを含む。
2021503572.tif 000002
【特許請求の範囲】
【請求項１】
ドアジャムに接続するように構成されたラッチベース、前記ラッチベースに接続するように構成されたラッチバー、並びに前記ラッチバーに着脱可能に取り付けられ、ジャムバンパ部及びドアバンパ部を有する少なくとも１つのバンパ、を有するドアラッチと、
ドアに接続するように構成されたドアフックと、を備えたスイングバー・ドアガードであって、
前記ラッチバーは、前記ドアの開閉を可能にするラッチ解除位置と、前記ドアの全開を防止するラッチ位置と、前記ドアが閉まるのを防ぐブロック位置と、の間で移動可能であり、
前記ブロック位置において、前記ジャムバンパ部が前記ドアジャムと接触し、前記ドアバンパ部が前記ドアと接触する、スイングバー・ドアガード。
【請求項２】
前記ラッチバーは、第１及び第２の平行なバー部材と、当該第１及び第２の平行なバー部材を通って延在する第１及び第２の開口部とを有する本体を備える、請求項１に記載のスイングバー・ドアガード。
【請求項３】
前記少なくとも１つのバンパは、第１及び第２のバンパを含み、前記第１及び第２のバンパは、前記第１及び第２の開口部をそれぞれ通って延在するように構成され、前記ジャムバンパ部は、前記第１及び第２の開口部のそれぞれの一方の端部を超えて延在して前記ドアジャムと接触し、前記ドアバンパ部は、前記第１及び第２の開口部のそれぞれの別の端部を超えて延在して前記ドアと接触する、請求項２に記載のスイングバー・ドアガード。
【請求項４】
前記ドアバンパ部は、それぞれ当該ドアバンパ部を通って延びる開口部を有する円形部分を備える、請求項３に記載のスイングバー・ドアガード。
【請求項５】
前記第１及び第２バンパはそれぞれ、前記ジャムバンパ部、前記ドアバンパ部、及び前記ジャムバンパ部と前記ドアバンパ部とを連結するポストを備える、請求項３又は４に記載のスイングバー・ドアガード。
【請求項６】
各ジャムバンパ部は、前記第１及び第２の平行なバー部材における前記第１及び第２のそれぞれの開口部の長さよりも大きい長さを有し、前記ジャムバンパ部が前記開口部に入るのを阻止する、請求項３〜５のいずれかに記載のスイングバー・ドアガード。
【請求項７】
前記第１及び第２の平行なバー部材の上面からそれぞれ延びる第１及び第２の突出部をさらに含み、前記第１及び第２の開口部は、それぞれ前記第１及び第２の突出部の内部を通って延びる、請求項３〜６のいずれかに記載のスイングバー・ドアガード。
【請求項８】
前記第１及び第２の突起は、前記第１及び第２の平行なバー部材のそれぞれの上面から前記上面に対して斜めに延びている、請求項７に記載のスイングバー・ドアガード。
【請求項９】
前記ラッチベースは、ドアジャムに当接するように構成された底面を有する本体と、前記本体を前記ドアジャムに固定する締結具を受けるために前記本体を通って延びる１つ以上の開口部と、前記本体の上面から互いに平行に延び、かつ前記本体の長さに沿って互いに間隔を置いて配置される一対の耳部と、各耳部を通って延びる開口部とを有する、請求項１〜８のいずれかに記載のスイングバー・ドアガード。
【請求項１０】
前記ドアフックは、ドアに当接するように構成された底面を有する本体と、前記本体を前記ドアに固定する締結具を受けるために前記本体を通って延びる１つ以上の開口部と、前記本体から延びるアームと、前記アームの端部にあるノブとを有する、請求項１〜９のいずれかに記載のスイングバー・ドアガード。
【請求項１１】
ドアフックと共に用いられるドアラッチであって、
一対の平行なバー部材を有する本体、前記平行なバー部材の各上面から延びる突出部、各平行なバー部材及び対応する突出部を通って延びる開口部、各平行なバー部材の端部から延びる耳部、及び各耳部を通って延びて前記ラッチバーとラッチベースとを接続する開口部、を有するラッチバーと、
前記開口部の一つを通って延びるように構成された一対のバンパと、を備え、
前記各バンパは、ドアジャムと接触するように構成されたジャムバンパ部、及びドアと接触するように構成されたドアバンパ部を含む、ドアラッチ。
【請求項１２】
前記ラッチベースは、ドアジャムに当接するように構成された底面を有する本体と、前記本体を前記ドアジャムに固定する締結具を受けるために前記本体を通って延びる１つ以上の開口部と、前記本体の上面から互いに平行に延び、かつ前記本体の長さに沿って互いに離間している一対の耳部と、前記平行なバー部材の前記耳部のそれぞれの前記開口部の１つと位置合わせするために各耳部を通って延びる開口部とをさらに含む、請求項１１に記載のドアラッチ。
【請求項１３】
それぞれの突出部は、それぞれの平行なバー部材の上面に対してそれぞれの上面に対して斜めに延びる、請求項１１又は１２に記載のドアラッチ。
【請求項１４】
各ドアバンパ部は、当該ドアバンパ部を通って延びる開口部を有する円形部分を含む、請求項１１〜１３のいずれかに記載のドアラッチ。
【請求項１５】
ドアジャムに接続するように構成されたラッチベースと、前記ラッチベースに接続するように構成されたラッチバーと、前記ラッチバーに結合された少なくとも１つのバンパと、を有するドアラッチを備えたスイングバー・ドアガードであって、
前記ラッチバーは、前記ドアの開閉を可能にするラッチ解除位置と、前記ドアの全開を防止するラッチ位置と、前記ドアが閉まるのを防ぐブロック位置と、の間で移動可能であり、
前記ブロック位置において、前記少なくとも１つのバンパは前記ドアと接触する、スイングバー・ドアガード。
【請求項１６】
前記少なくとも１つのバンパは、前記遮断位置で前記ドアジャムに接触するジャムバンパ部と、前記遮断位置で前記ドアに接触するドアバンパ部とを含む、請求項１５に記載のスイングバー・ドアガード。
【請求項１７】
前記ラッチバーは、第１及び第２の平行なバー部材と、前記第１及び第２の平行なバー部材をそれぞれ貫通する第１及び第２の開口とを有する本体を含む、請求項１５又は１６に記載のスイングバー・ドアガード。
【請求項１８】
前記少なくとも１つのバンパは第１及び第２バンパを含み、前記第１及び第２バンパは、それぞれ前記第１及び第２バンパの開口部に配置され、当該第１及び第２開口部を超えて延在する、請求項１７に記載のスイングバー・ドアガード。
【請求項１９】
前記第１及び第２の平行なバー部材の上面からそれぞれ延びる第１及び第２の突出部をさらに含み、前記第１及び第２の開口部はそれぞれ前記第１及び第２の突出部を貫通するように延び、前記第１及び第２の突出部は前記第１及び第２の平行なバー部材の前記上面から、当該上面に対してそれぞれ斜めに延びている、請求項１８に記載のスイングバー・ドアガード。
【請求項２０】
ドアに接続されるように構成されたドアフックをさらに含む、請求項１５〜１９のいずれかに記載のスイングバー・ドアガード。
【発明の詳細な説明】
【技術分野】
【０００１】
（関連出願の相互参照）
本願は、２０１７年９月１日に出願された米国仮出願第６２／５５３，２２５号の利益を主張する。当該出願の全体が参照により本明細書に組み込まれる。
【０００２】
本発明は、一般に、スイングバー・ドアガードに関し、より詳細には、ノイズを減衰させるスイングバー・ドアガードに関する。
【背景技術】
【０００３】
ドアフックとラッチの組み合わせは、スイングバードアロックと呼ばれることもあるが、ドアを固定するための一般的なものである。ドアが閉まらないようにするために、例えば、自動的に閉まるホテルのドアなどでは、ユーザはドアジャムとドアとの間でドアラッチを動かすことが多いが、ドアが閉まるときにドアラッチに衝撃を与えることになる。
【発明の概要】
【０００４】
本願は、ドアジャムに接続されるように構成されたラッチベースを有するドアラッチと、ラッチベースに接続されるように構成されたラッチバーと、ラッチバーの開口部を通って延びるように構成された第１及び第２のバンパとを含むスイングバー・ドアガードに関する。第１及び第２のバンパは、それぞれ、ブロック位置にあるときにドアジャムに接触するジャムバンパ部と、ブロック位置にあるドアに接触するドアバンパ部とを含む。
【０００５】
ある実施形態では、ドアラッチとドアフックとを有するスイングバー・ドアガードが提供される。前記ドアラッチは、ドアジャムに接続されるように構成されたラッチベースと、前記ラッチベースに接続されるように構成されたラッチバーと、前記ラッチバーに着脱可能に取り付けられた少なくとも１つのバンパとを含み、前記少なくとも１つのバンパは、ジャムバンパ部とドアバンパ部とを有する。前記ドアフックは、ドアに接続されるように構成される。前記ラッチバーは、ドアの開閉を可能にするラッチ解除位置と、前記ドアの全開を防止するラッチ位置と、前記ドアが閉まるのを防ぐブロック位置との間で移動可能であり、前記ブロック位置において、前記ジャムバンパ部が前記ドアジャムと接触し、前記ドアバンパ部が前記ドアと接触する。
【０００６】
別の実施形態では、ドアフックと共に用いられるドアラッチが提供される。当該ドアラッチは、ラッチバーと一対のバンパとを備える。当該ラッチバーは、一対の平行なバー部材を有する本体と、前記平行なバー部材の各々の上面から延びる突出部と、各平行なバー部材及び各突出部を通って延びる開口部と、各平行なバー部材の端部から延びる耳部と、各耳部を通って延び、ラッチバーをラッチベースに接続する開口部とを含む。また、前記一対のバンパは、前記開口部のそれぞれの１つを通って延びるように構成され、各バンパは、ドアジャムと接触するように構成されたジャムバンパ部と、ドアと接触するように構成されたドアバンパ部とを含む。
【０００７】
さらに別の実施形態では、ドアラッチを備えるスイングバー・ドアガードが提供される。前記ドアラッチは、ドアジャムに接続されるように構成されたラッチベースと、前記ラッチベースに接続されるように構成されたラッチバーと、前記ラッチバーに結合された少なくとも１つのバンパとを含む。前記ラッチバーは、前記ドアの開閉を可能にするラッチ解除位置と、前記ドアの開放を防止するラッチ位置と、前記ドアが閉まるのを防ぐブロック位置との間で移動可能であり、前記ブロック位置において、前記少なくとも１つのバンパが前記ドアに接触する。
【０００８】
本願の前述の特徴及び他の特徴は、図面を参照しながら以下に記載される。
【図面の簡単な説明】
【０００９】
【図１】ラッチ位置にある例示的なスイングバー・ドアガードの斜視図である。
【図２】スイングバー・ドアガードの分解図である。
【図３】ラッチ位置にあるスイングバー・ドアガードの正面図である。
【図４】ラッチ位置にあるスイングバー・ドアガードの背面図である。
【図５】ラッチ位置にあるスイングバー・ドアガードの上面図である。
【図６】ラッチ位置にあるスイングバー・ドアガードの底面図である。
【図７】ラッチ位置にあるスイングバー・ドアガードの左側面図である。
【図８】ラッチ位置にあるスイングバー・ドアガードの右側面図である。
【図９】ドアジャム上に設置され、ブロック位置にあるスイングバー・ドアガードの上面図である。
【図１０】ドアジャムに設置され、ブロック位置にあるスイングバー・ドアガードの別の上面図である。
【図１１】スイングバー・ドアガードのラッチベースの斜視図である。
【図１２】ラッチベースの上面図である。
【図１３】ラッチベースの左側面図である。
【図１４】ラッチベースの正面図である。
【図１５】スイングバー・ドアガードのラッチバーの斜視図である。
【図１６】ラッチバーの正面図である。
【図１７】ラッチバーの上面図である。
【図１８】ラッチバーの左側面図である。
【図１９】スイングバー・ドアガードのバンパの斜視図である。
【図２０】バンパの正面図である。
【図２１】バンパの背面図である。
【図２２】バンパの上面図である。
【図２３】バンパの底面図である。
【図２４】バンパの左側面図である。
【図２５】バンパの右側面図である。
【図２６】ラッチ位置にある例示的なスイングバー・ドアガードの斜視図である。
【図２７】スイングバー・ドアガードのラッチ解除位置の正面図である。
【図２８】ラッチ解除位置にあるスイングバー・ドアガードの背面図である。
【図２９】ラッチ解除位置にあるスイングバー・ドアガードの上面図である。
【図３０】ラッチ解除位置にあるスイングバー・ドアガードの底面図である。
【図３１】ラッチ解除位置にあるスイングバー・ドアガードの左側面図である。
【図３２】ラッチ解除位置にあるスイングバー・ドアガードの右側面図である。
【図３３】例示的なドアラッチの上面図である。
【図３４】ドアラッチの斜視図である。
【図３５】例示的なバンパアセンブリの斜視図である。
【発明を実施するための形態】
【００１０】
図１〜１０を参照すると、スイングバー・ドアガードが、全体的に参照符号１０で示されている。スイングバー・ドアガード１０は、ラッチ位置で示され、ドア１６をラッチ位置に固定するためにドアフック１４と係合するように構成されたドアラッチ１２を含む。ドアラッチ１２は、ドアジャム２２に接続されるように構成されたラッチベース１８と、ラッチベース１８に旋回可能に接続されたラッチバー２０とを含む。
【００１１】
更に図１１〜図１４を参照すると、ラッチベース１８は、ドアジャム２２に当接する底面と、本体２４をドアジャム２２に固定する締結具を受け入れるための、開口部のような１つ又は複数（図示では３つ）の開口部２６とを有する本体２４を含む。開口部２６は、締結具のヘッドを受ける皿状であってもよい。また、ラッチベース１８は、本体２４の上面から互いに平行に、かつ本体２４の長さに沿って互いに離間して延びる一対の耳部２８、３０を含む。各耳部２８、３０は、ラッチバー２０をラッチベース１８に固定するための各締結具３６、３８を受け入れる開口部３２、３４をそれぞれ有する。
【００１２】
更に図１５〜図１８を参照すると、ラッチバー２０は、湾曲部材５４によって連結された一対の平行なバー部材５０、５２を有し、実質的に細長いＵ形状を呈する。ラッチバーはまた、各バー部材５０、５２の上面から延びる突出部５６、５８と、各バー部材５０、５２及びそれぞれの突出部５６、５８を通って延びる開口部６０、６２とを含む。図示するように、バー部材５０，５２、湾曲部材５４、及び突出部５６，５８は一体である。図１７に示されるように、各開口部６０、６２は、第１の長さＬ１を有する第１の部分６４と、第１の長さよりも大きい第２の長さＬ２を有する第２の部分６６とを有する。第２の部分６６は、その底部に、バンパの円形部分を受け入れるための第１半径を有する湾曲形状を有する。第１半径の大きさは第２の長さの半分に等しい。突出部は、スイングバー・ドアガードがブロック位置にあるときに、ドアの縁部ではなく、ドア１６の面がラッチバー２０上のバンパに接触するように、バー部材５０、５２の上面に対して角度が付けられている。突出部５６，５８は、湾曲部材５４に対向するバー部材５０，５２の端部から湾曲部材５４に向かう方向に、バー部材５０，５２から外側へ向けて角度が付けられている。
【００１３】
湾曲部材５４に対向する平行なバー部材５０、５２の端部からそれぞれ延びるのが、耳部７０、７２である。各耳部７０、７２は、ラッチベース１８の耳部２８、３０にそれぞれ当接するように構成され、ラッチベース１８の耳部２８、３０のそれぞれの開口部３２、３４と整列するように構成された開口部７４、７６をそれぞれ有する。開口部７４、７６は、締結具３６、３８のねじ山と係合するようにねじ切りされている。
【００１４】
さらに図１９〜図２５を参照すると、ドアラッチ１２は、さらに、スイングバー・ドアガードがブロック位置にあるときにノイズを低減又は排除するために、開口部６０、６２の端部内に受け入れられ且つこれを通過して延びるように構成された一対のバンパ８０、８２を含む。各バンパ８０は、第１及び第２の長さよりも長い第３の長さを有するジャムバンパとも呼ばれるベース８４と、第１の長さ以下の第４の長さを有するベース８４から延びるポスト８６と、ポスト８６から延び第１の半径以下の第２の半径を有するドアバンパとも呼ばれる略円形部８８とを含む。円形部８８は、その中を通って延びる開口部９０を有し、これにより、円形部が、設置中及び使用中に下方に偏向することが可能になる。
【００１５】
図１に示すようにドアラッチ１２を組み立てるために、ラッチバー２０の開口部７４及び７６は、ラッチベース１８がドアジャム２２に取り付けられる前又は後のいずれかで、ラッチベース１８のそれぞれの開口部３２、３４と位置合わせされる。次いで、締結具３６が開口部３２を通して挿入され、開口部７４を通して耳部２８を耳部７０に接続し、締結具３８が開口部３４を通して挿入され、開口部７６を通して耳部３０を耳部７２に接続する。
【００１６】
ラッチバー２０をラッチベース１８に取り付ける前又は取り付けた後に、バンパ８０、８２がラッチバー２０に取り付けられる。バンパ８０を取り付けるために、ドアバンパ８８は、バー部材５０の裏側から開口部６０の第１の部分６４に挿入される。ドアバンパ８８は、第１の部分６４を貫通して嵌合するように圧縮され、第２の部分６６内へ押し込まれ、第２の部分６６内で拡がって収まり、開口部６０の外に延びる。この位置では、ポスト８６が第１の部分６４に配置され、ジャムバンパ８４がバー部材５０の底面に当接する。ジャムバンパ８４は、バンパ８０が一方向に引き出されないようにするために、第１の長さよりも大きい第３の長さを有し、ドアバンパ８８は、他の方向への意図しない取り外しに抵抗するために、第１の長さよりも大きいサイズとされる。ユーザがバンパ８０を交換したい場合、ユーザはジャムバンパ８４を握り、引っ張ってドアバンパ８８を圧縮させることでバンパ８０の着脱が可能になる。
【００１７】
バンパ８０と同様に、バンパ８２を取り付ける場合、ドアバンパ８８をバー部材５２の裏側から開口部６２の第１の部分６４に挿入する。ドアバンパ８８は、第１の部分６４を貫通して嵌合するように圧縮され、第２の部分６６内へ押し込まれ、第２の部分６６内で拡がって収まり、開口部６２の外に延びる。この位置では、ポスト８６が第１の部分６４に配置され、ジャムバンパ８４がバー部材５２の底面に当接する。
【００１８】
再び図２を参照すると、ドアフック１４は、ドア１６に当接する底面と、本体１００をドア１６に固定するための締結具を受け入れるための、１つ又は複数（図示では４つ）の開口部１０２とを有する本体１００を含む。開口部１０２は、締結具のヘッド部を受けるに皿状であってもよい。また、ドアフックは本体１００から延びるアーム１０４を含み、アーム１０４の端部にノブ１０６を備えている。
【００１９】
図９及び図１０に示すように、スイングバー・ドアガード１０をドア１６及びドアジャム２２に取り付けるために、ドアフック１４がドア１６に取り付けられ、ラッチベース１８がドアジャム２２に任意の順序で取り付けられる。例えば、ラッチベース１８の本体２４の底面は、ラッチベース１８をドアジャム２２に固定するために、ドアジャム２２や開口部２６に挿入される締結具に対向して配置される。ドアフック１４の本体１００の底面は、ドアフック１４をドア１６に固定するために、ドア１６や開口部１０２に挿入される締結具に対向して配置される。ドアフック１４及びドアラッチ１２は、相互に位置合わせがなされ、ドア１６がブロック位置にあるときに、ラッチバー２０をアーム１０４の上方に移動してドア１６が完全に開かないようにする。
【００２０】
使用中、スイングバー・ドアガード、特にラッチバー２０は、図１に示すラッチ位置と、ラッチバー２０がアーム１０４から離れるように動かされてドアの開閉を可能とする、図２６〜３２に示すラッチ解除位置と、図９及び図１０に示すブロック位置との間で移動可能である。ラッチバー２０をブロック位置に移動させる場合、ラッチバー２０をドア１６から離してラッチ解除位置に移動させて、ドア１６の開放を可能にさせる。次いで、ドアが開いた位置にあるときにラッチバー２０をドア１６に向かって動かし、バンパ８０、８２上のジャムバンパ８４がドアジャム２２に接触するまでラッチバー２０を動かす。典型的には自動的に閉じるドアであるドア１６が開放されると、ドア１６の外面がバンパ８０、８２のドアバンパ８８に接触する。これにより、スイングバー・ドアガード１０は、ドアガードの金属部分との接触が排除されてドアが損傷するのを防ぎ、ドアガードの金属部分にドアが叩きつけられたりドアガードがドアジャムに叩きつけられたりすることによる騒音を低減又は排除する。
【００２１】
バー部材５０、５２の上面に対して突出部５６、５８に角度をつけることによって、ドア１６の外面は、ドアの縁部よりもむしろブロック位置にあるドアバンパ８８に接触することとなり、衝撃をより均等に分配する。これにより、バンパ８０、８２は、ドア１６からバンパ８０、８２を通ってドアジャム２２に至る直接的な荷重経路を形成し、スイングバー・ドアガード１０の摩耗及び裂傷を減少させる。ジャムバンパ８４とドアバンパ８８の両方を設けることによって、ドア１６とドアジャム２２の両方が保護され、騒音が低減されるか、又はドア１６とドアジャム２２との接触が防止される。
【００２２】
次に、図３３及び３４を参照すると、ドアラッチの例示的実施形態が、１１２で示される。ドアラッチ１１２は、上述のラッチバー１１２と実質的に同じであり、同じ参照番号に１００を加えたものを用いてドアラッチ内の類似の構造に対応する構造を示す。加えて、ドアラッチ１２の前記の説明は、以下に指摘する場合を除いて、ドアラッチ１１２に等しく妥当する。
【００２３】
ドアラッチ１１２は、ラッチベース１１８と、ラッチベース１１８に結合されるように構成されたラッチバー１２０とを含む。ラッチベース１１８は、締結具を受ける１つ又は複数の開口部１２６を有する本体１２４と、本体１２４の上面から延在し、ラッチバー１２０をラッチベース１１８に固定するための各締結具を受けるそれぞれ対応する開口部１３２を有する一対の耳部１２８、１３０とを備える。
【００２４】
ラッチバー１２０は、ベース１４０と、ラッチバー１２０の長さを調節するためにベースに対して移動可能な調節可能リテーナ１４２と、当該調節可能リテーナ１４２に取り付けられ、そこを通って延びる開口部１９０を有するバンパ１８０と、ベース１４０に取り付けられたバンパ１８２とを含む。ラッチバー１２０は、ラッチベース１１８上の耳部と位置合わせするための耳部１７０、１７２を含む。調節可能リテーナ１４２は、固定ねじのような締結具１４６によってベース１４０に対して位置を保持してもよく、ベースが移動する貫通路を含む。ベースの端部１４１が、通路を通って延びて示されている。
【００２５】
次に、図３５を参照すると、例示的なバンパアセンブリが２１０で示されている。バンパアセンブリ２１０は、一対の平行なバー部材を有するラッチバーのようなラッチバーに取り付けることができる。バンパアセンブリ２１０は、本体２１２と、本体２１２に取り付けられたバンパ２１４とを含む。バンパ２１４は、バンパのたわみを補助するためにそこを通って延びる開口部２１６を含む。本体２１２は、バー部材の１つに取り付けるためのＬ字状部分２１８と、バンパが取り付けられる突起部分２２０とを有する。
【００２６】
特定の実施形態を示し、説明したが、当業者が本明細書を読んで理解することで生じるであろう均等物及び変更は、特許請求の範囲に属することが理解できるであろう。
【図１】
2021503572.tif 000003
【図２】
2021503572.tif 000004
【図３】
2021503572.tif 000005
【図４】
2021503572.tif 000006
【図５】
2021503572.tif 000007
【図６】
2021503572.tif 000008
【図７】
2021503572.tif 000009
【図８】
2021503572.tif 000010
【図９】
2021503572.tif 000011
【図１０】
2021503572.tif 000012
【図１１】
2021503572.tif 000013
【図１２】
2021503572.tif 000014
【図１３】
2021503572.tif 000015
【図１４】
2021503572.tif 000016
【図１５】
2021503572.tif 000017
【図１６】
2021503572.tif 000018
【図１７】
2021503572.tif 000019
【図１８】
2021503572.tif 000020
【図１９】
2021503572.tif 000021
【図２０】
2021503572.tif 000022
【図２１】
2021503572.tif 000023
【図２２】
2021503572.tif 000024
【図２３】
2021503572.tif 000025
【図２４】
2021503572.tif 000026
【図２５】
2021503572.tif 000027
【図２６】
2021503572.tif 000028
【図２７】
2021503572.tif 000029
【図２８】
2021503572.tif 000030
【図２９】
2021503572.tif 000031
【図３０】
2021503572.tif 000032
【図３１】
2021503572.tif 000033
【図３２】
2021503572.tif 000034
【図３３】
2021503572.tif 000035
【図３４】
2021503572.tif 000036
【図３５】
2021503572.tif 000037
【国際調査報告】
2021503572.tif 000038
2021503572.tif 000039